(57)【要約】    【課題】    組み立て可能な棚において、組み立て時における棚板の高さの調整を可能にし、又組み立て後に棚板の高さの変更や追加等を簡単に行ない得るようにする。    【解決手段】    その外周面にねじを設けた少なくとも１本の柱、柱のねじに取り付けた複数のナットと、ねじを有する柱を貫通する貫通孔を少なくとも一つ設けた棚板とを備え、柱を棚板の貫通孔に挿入し、柱に取り付けた棚板の上下のナットにより棚板を締め付けて柱に固定して棚を形成するようにした。【選択図】            図３
0003121569.tif 000002
【実用新案登録請求の範囲】
【請求項１】
外周面に沿ってねじを形成した少なくとも一つの柱と、前記柱のねじに螺合する複数のナットと、前記柱が貫通する貫通孔を複数設けた少なくとも一枚の棚板とよりなり、前記棚板の貫通孔を利用して柱を貫通させ前記柱の棚板上下位置に夫々ナットを配置し、上下のナットにて棚板をその上下位置の調整が可能に支持して棚を形成することを特徴とする組立分解可能な棚。
【請求項２】
前記棚板を複数有し、各棚板間の間隔を自由に変化させ得るようにした請求項１の棚。
【請求項３】
前記棚板の４隅に夫々貫通孔を設け、棚板を前記柱に調整可能に固定した請求項１または２の棚。
【請求項４】
前記棚の外側に前記柱に平行に外周面にねじが形成された柱を少なくとも２本設け、各柱に複数のナットと柱が貫通される貫通孔を有する他の棚板を少なくとも１枚更に備え、前記他の棚板を調整可能に更に設けた請求項３の棚。
【考案の詳細な説明】
【技術分野】
【０００１】
本考案は、家具に関するもので、特に、変更や位置調整が簡単に行ない得る組立式の棚に関するものである。
【背景技術】
【０００２】
家具のうち、各種の品物を置くため等に利用される棚は、その多くは棚板が一定の間隔（一般には等間隔）に配置され、この棚板の上に品物を置くように形成されている。
【０００３】
このような棚は、その横幅や棚板と棚板の上下の間隔が固定されており、製品により一定である。
【０００４】
このような棚に置く品物は、種々の形状の物であり、又大きさも様々である。
【０００５】
そのため、大きさ例えば高さの異なるものを置く場合、棚板の間隔に比較して、置く品物の高さが低い場合には、棚自体が無駄なスペースをとることになり好ましくない。一方、品物の高さが棚板間の間隔よりも大である場合は、棚板間に置くことができない欠点がある。
【０００６】
また、棚の横幅も棚により一定であり、変更、追加が容易ではない。
【考案の開示】
【考案が解決しようとする課題】
【０００７】
本考案は、棚板間の間隔の調整、変更や、横方向への棚の追加等が容易な棚を提供するものである。
【課題を解決するための手段】
【０００８】
本考案の棚は、外周面にねじを形成した少なくとも一つの柱と、この柱のねじに取り付ける複数のナットと、前記柱を挿入し得る貫通孔を一つ又は複数有する少なくとも１枚の棚板とを備え、前記柱を棚板の貫通孔に挿入し、柱に取り付けられる棚板の上下に夫々ナットを配置し、上下のナットの締め付けにより各柱に棚板を固定して形成するもので、例えば、底板に柱をそのねじを利用して固定し、又天板を各柱に適宜手段にて固定することにより棚を形成し得る。
【０００９】
このように、本考案の棚は、従来の組立可能な棚と同様に部品を組み合わせることにより簡単に組み立て得ると共に、組み立ての際に、棚板の高さを適宜選定し得る。更に、組み立て後に棚の高さの変更を容易に行ない得る。つまり棚板を固定するナットを緩めて柱に対する棚板の位置を変更した後に、再度夫々上下二つのナットにて棚板を締め付け固定すればよい。
【００１０】
又、本考案の棚は、一つの棚板の横方向に他の棚板と柱とを利用して棚板を接続することにより、横方向（水平方向）に伸びた棚に組み立てることも可能である。
【００１１】
この場合も、単に他の棚板の貫通孔に柱を挿入配置し、上下二つのナットによる締め付け固定により、簡単に組み立て得る。
【００１２】
更に、本考案の棚は、組み立てた棚を使用中に更に横方向に追加する際も、前述のように他の棚板を横方向に追加組み合わせることにより可能である。
【考案の効果】
【００１３】
本考案の棚は、組み立てが簡単である上に、組み立て時および組み立て後の棚板の高さの変更調整が極めて簡単であり、多くの部品を備えることにより各種の組み合わせが可能であると共に、使用後の棚の追加、変更も容易である等の効果を有する。
【考案を実施するための最良の形態】
【００１４】
次に本考案の実施の形態について説明する。
【実施例１】
【００１５】
図１、図２は、組み立てた状態の棚でその一例を示す図である。これら図のうち図１の（Ａ）、（Ｂ）、（Ｃ）は夫々正面図、平面図、側面図、図２は斜視図である。
【００１６】
この図１、図２に示す棚は、底板と天板との間に二つの棚板を配置した棚で、これら天板、棚板、底板が４隅に設けられた柱に支持されている構造の棚である。
【００１７】
つまり、この実施例１の棚は、天板１と上下二つの第１、第２の棚板２、３と、底板４とよりなり、これら部品が４本の柱５にて支持されている。
【００１８】
ここで、４本の柱は、図２に示すようにいずれもその外周面のほぼ全体にわたってねじ５ａが形成されている。図１には単なる棒状の柱として記載されているが、実際は、図２や図３（この図３は後に述べるように棚板等を柱にその取り付け位置の調整、変更を可能にした構造を説明するための要部の拡大図である。）に示すように柱の外周面にはねじ５ａが形成されている。また第１、第２の棚板２、３には、その４隅に柱が挿入し得る貫通孔が設けられ、この貫通孔を利用して柱５に棚板３、４を配置すると共に柱５に取り付けられた棚板３又は４の上側のナット６又は８および下側のナット７又は９の二つのナットを用いて４本の柱５にて支持された形状である。
【００１９】
この実施例１の棚を組み立てる場合、例えば底板４の４隅に形成されたねじ孔にねじを設けた４本の柱５を取り付け固定し、下側のナット９を取り付け、第２の棚板３をそれに形成されている４隅の貫通孔を利用して同じ４本の柱５に取り付け、更に上側のナット８を取り付け、第２の棚板３をその上下のナット８、９にて保持する。
【００２０】
同様に、第１の棚板を保持するナットのうち下側のナット７を４本の側に取り付けた上で第１の棚板２を貫通孔を利用して４本の柱に取り付け上側のナット６を夫々取り付ける。これにより上下のナット６、７を利用して第１の棚板を４本の柱５にて保持する。
【００２１】
最後に天板１を４本の柱にねじ止め等の適宜手段にて取り付けることにより図１に示す実施例１の棚を組み立てることができる。
【００２２】
図３は、本考案の要部の一つである柱により棚板を調整可能に又、変更し得るように支持する機構について説明する図である。
【００２３】
図３において、２は第１の棚板、５はその外周面にねじ５ａが形成された柱、６、７は夫々上下のナットである。
【００２４】
この図より明らかなように、棚板２は上下のナット６、７により締め付けられて柱５に固定される。
【００２５】
ここで、棚板２の位置を下げる場合は、下側のナット７を緩めて下方に移動させると共に棚板２を下げる。その上で上側のナット６を下方に移動するように締め付け、図示するもとの位置よりも下側の位置にて棚板を固定する。
【００２６】
図１、図２に示す実施例１の場合、４本の柱に対し同様の作業を行なうことにより、棚板２を下方に移動し固定し得る。
【００２７】
同様の作業（逆の作業）にて、棚板２を元の位置（高さ）から上方に移動し固定することができる。
【００２８】
尚、この実施例１において、底板４も貫通孔を形成し、この貫通孔に柱５を通し、中心部にねじ孔を有する脚１０をねじ孔を利用して柱に固定し、更にナット１０ａにて締め付け固定してある。
【００２９】
この実施例１は、棚板を第１の棚板２と第２の棚板３の２枚取り付けた棚の例である。
【００３０】
しかし、棚板は１枚でもよいし、３枚でもよい。
【００３１】
この実施例１の棚板は、組み立て時に前記のように各棚板を固定する上下二つのナット（一つの柱に対し上下二つでこの実施例では４隅の柱合計で八つのナット）を利用してその高さを調整し得るので、使用目的に応じて、天板と第１の棚板との間隔、第１の棚板と第２の棚板との間隔、第２の棚板と底板との間隔を調整した上で固定できる。
【００３２】
更に、組み立て後の第１の棚板および第２の棚板を上下方向へ移動させることが可能である。
【００３３】
したがって、使用している間に棚に置くべき物品の大きさ特に高さの都合等から必要に応じていつでも棚板の上下動が可能である。
【実施例２】
【００３４】
図４は本考案の実施例２の棚板を示す図である。この実施例２の棚は、図１、図２に示す棚の左右に更に棚を負荷し、横長にした実施例である。
【００３５】
つまり、図４におけるＡの部分が図１に示す棚に相当し、棚板２、３を夫々上下に移動させて棚板２と棚板３との間を広くした構成である。
【００３６】
そして、この棚Ａの部分の左右に夫々棚Ｂ、Ｃを加えた構成で、全体として横に長い形状の棚である。
【００３７】
即ち、この実施例２の棚は、図４の棚Ａの部分に更に左側の２本の柱１５と、右側の２本の柱１６と天板１１、１２、底板１３、１４とを用いて組み立てたものである。つまり棚Ａの部分の左側の柱５とその左側に新たに加えた２本の柱１５を左側の底板１２に取り付け、更に天板１１を取り付けて左側の棚Ｂを形成し、同様に棚Ａの右側の柱と更に追加した２本の柱１６を右側の底板１４に取り付け、又、天板１２を取り付けて棚Ｃを形成したものである。
【００３８】
ここで、新たに加えた天板１１、１２と底板１３、１４は、いずれも棚Ａの側が貫通孔であって、夫々柱５に貫通させてナットに固定した構成である。
【００３９】
この実施例２の棚において、左側の棚Ｂあるいは右側の棚Ｃに１枚又は２枚の棚板を棚Ａとつまり実施例１の棚と同様の手段にて取り付けてもよい。
【００４０】
又、棚ＢおよびＣの両方に棚板を設けてもよい。
【００４１】
以上の実施例は一例であって、本考案によればその他の構造の棚を形成し得る。
【００４２】
しかも、部品の追加、変更等により、使用している棚の形状の変更も簡単に行ない得る。
【００４３】
例えば、実施例１の棚において、棚板の上下移動や追加、減少等の変更が可能である。又、実施例２において、左右の棚Ｂ、Ｃのうち、一方のみの追加等の変更が可能である。
【００４４】
以上述べた実施例は、棚板等にその４隅に夫々貫通孔を設け、この４隅を夫々柱にて支持した構成であるが、２本の柱や１本の柱で支持する構造のものにも、本考案を適用できる。その場合、棚板等に設ける貫通孔は、例えば両側に夫々一つずつの二つ設けることになる。又中央に一つの貫通孔を設け、本考案の手段により１本の柱に支持する。
【００４５】
逆に３本、又は５本以上の柱を用い棚板等を同様の手段にて支持してもよい。
【産業上の利用可能性】
【００４６】
本考案は、家庭その他にて使用し得るもので、その際に棚板の高さの調整や各種の変更を簡単に行ない得る。
【図面の簡単な説明】
【００４７】
【図１】本考案の実施例１を示す図
【図２】上記実施例１の斜視図
【図３】本考案の要部を示す図
【図４】本考案の実施例２を示す正面図
【符号の説明】
【００４８】
１      天板
２      第１の棚板
３      第２の棚板
４      底板
５      柱
６，７，８，９    ナット
１１，１２        天板
１３，１４        底板
１５，１６      柱
【図１】
0003121569.tif 000003
【図２】
0003121569.tif 000004
【図３】
0003121569.tif 000005
【図４】
0003121569.tif 000006